(57)【要約】【課題】簡単な操作で適正な露出を決定できるようにする。【解決手段】露出制御部１１３は、センサ１０２により同じシーンで撮像された第１の画像データの露出と第２の画像データの露出とを時間の経過に伴って変化させる。ＨＤＲ処理部１０７は、露出制御部１１３による制御に応じた露出の第１の画像データと第２の画像データとに基づいて、第３の画像データを生成する。表示部１０８は、第３の画像データを表示する。操作部１１１は、第１の画像データの露出と第２の画像データの露出との指示を受け付ける。コントローラ１１２は、操作部１１１において受け付けられた指示に応じて、第１の画像データの露出と第２の画像データの露出とを決定する。【選択図】図１
2013141062.tif 000002
【特許請求の範囲】
【請求項１】
撮像手段と、
前記撮像手段により同じシーンで撮像された第１の画像データの露出と第２の画像データの露出とを時間の経過に伴って変化させる露出制御手段と、
前記露出制御手段による制御に応じた露出の前記第１の画像データと前記第２の画像データとに基づいて、第３の画像データを生成する第１の生成手段と、
前記第１の生成手段により生成される前記第３の画像データを表示手段において表示させる表示制御手段と、
前記第１の画像データの露出と前記第２の画像データの露出との指示を受け付ける第１の受付手段と、
前記第１の受付手段により受け付けられた指示に応じて、前記第１の画像データの露出と前記第２の画像データの露出とを決定する決定手段とを有することを特徴とする撮像装置。
【請求項２】
前記第３の画像データを記録手段に記録させる指示を受け付ける第２の受付手段と、
前記第２の受付手段により指示を受け付けた場合、前記決定手段により決定された露出の前記第１の画像データと前記第２の画像データとに基づいて前記生成手段により生成された前記第３の画像データを、前記記録手段に記録させる記録制御手段とを更に有することを特徴とする請求項１に記載の撮像装置。
【請求項３】
前記露出制御手段は、前記第１の画像データの露出を変化させている期間、前記第２の画像データの露出を固定し、前記第２の画像データの露出を変化させている期間、第１の画像データの露出を固定することを特徴とする請求項１又は２に記載の撮像装置。
【請求項４】
前記露出制御手段は、前記第１の画像データの露出と前記第２の画像データの露出とを一定の周期で変化させることを特徴とする請求項３に記載の撮像装置。
【請求項５】
前記表示制御手段は、前記表示手段において、前記一定の周期における所定の時点に所定の表示を行うことを特徴とする請求項４に記載の撮像装置。
【請求項６】
前記露出制御手段は、前記第１の画像データの露出を第１の周期で変化させ、前記第２の画像データの露出を前記第１の周期とは異なる第２の周期で変化させることを特徴とする請求項１又は２に記載の撮像装置。
【請求項７】
前記表示制御手段は、前記表示手段において、前記第１の画像データの露出と前記第２の画像データの露出とが所定の状態となる時点に所定の表示を行うことを特徴とする請求項６に記載の撮像装置。
【請求項８】
前記第１の画像データの適正露出と前記第２の画像データの適正露出とを算出する算出手段と
前記第１の受付手段により指示を受け付けてない状態で前記第２の受付手段により指示を受け付けた場合、前記算出手段により算出された適正露出の前記第１の画像データと前記第２の画像データとに基づいて、第４の画像データを生成する第２の生成手段とを更に有し、
前記記録制御手段は、前記第２の生成手段により生成された前記第４の画像データを前記記録手段に記録させることを特徴とする請求項２に記載の撮像装置。
【請求項９】
撮像手段を有する撮像装置の制御方法であって、
前記撮像手段により同じシーンで撮像された第１の画像データの露出と第２の画像データの露出とを時間の経過に伴って変化させる露出制御ステップと、
前記露出制御ステップによる制御に応じた露出の前記第１の画像データと前記第２の画像データとに基づいて、第３の画像データを生成する生成ステップと、
前記生成ステップにより生成される前記第３の画像データを表示手段において表示させる表示制御ステップと、
前記第１の画像データの露出と前記第２の画像データの露出との指示を受け付ける受付ステップと、
前記受付ステップにより受け付けられた指示に応じて、前記第１の画像データの露出と前記第２の画像データの露出とを決定する決定ステップとを有することを特徴とする撮像装置の制御方法。
【請求項１０】
撮像手段により同じシーンで撮像された第１の画像データの露出と第２の画像データの露出とを時間の経過に伴って変化させる露出制御ステップと、
前記露出制御ステップによる制御に応じた露出の前記第１の画像データと前記第２の画像データとに基づいて、第３の画像データを生成する生成ステップと、
前記生成ステップにより生成される前記第３の画像データを表示手段において表示させる表示制御ステップと、
前記第１の画像データの露出と前記第２の画像データの露出との指示を受け付ける受付ステップと、
前記受付ステップにより受け付けられた指示に応じて、前記第１の画像データの露出と前記第２の画像データの露出とを決定する決定ステップとをコンピュータに実行させるためのプログラム。
【発明の詳細な説明】
【技術分野】
【０００１】
本発明は、画像データの露出を決定する技術に関するものである。
【背景技術】
【０００２】
近年、デジタルカメラの高画質化に伴い、撮影可能な輝度範囲（ダイナミックレンジ）を拡大する要求が高まっており、実現するための方法が様々提案されている。また、このように通常よりも広いダイナミックレンジを有する画像データは、ＨＤＲ（ハイダイナミックレンジ）画像データと呼ばれている。例えば、同じシーンを複数の露出で撮影し、画像処理によって合成する方法や、大、小の大きさの違う撮像センサを備える方法等が知られている。画像処理によって合成する手法では、所望のＨＤＲ画像データを得るために適切な露出を決定することが重要となるが、その手法が特許文献１に開示されている。
【０００３】
特許文献１に開示される技術は、デジタルカメラのスタンバイ時に、ＨＤＲ画像データを記録する際の適切な露出を内部で計算しておき、その露出でＨＤＲ画像データを生成する。具体的には、動画像データから取得される輝度情報（ヒストグラム等）から黒つぶれ量に応じて低露光画像データの露出を上げ、白飛び量に応じて高露光画像データの露出を下げるという制御が行われている。特許文献２にも同様の手法が開示されている。即ち、特許文献２に開示される技術は、被写体を測光したときの測光値の最小値から最大値までの幅を用いて露出条件を決定している。
【先行技術文献】
【特許文献】
【０００４】
【特許文献１】特開２００３−０４６８４８号公報
【特許文献２】特開２００９−０２７６２２号公報
【発明の概要】
【発明が解決しようとする課題】
【０００５】
しかしながら、デジタルカメラ内部で高露光画像データと低露光画像データとの露出を自動的に決定したとしても、ＨＤＲ画像データの仕上がり具合は再生してみないと分からないという問題がある。また、撮影者が手動で高露光画像データと低露光画像データとの露出を調整する場合、画面を見ながら２つの露出の組み合わせを変化させて調整するという作業になるため、手間がかかるという問題もある。
【０００６】
そこで、本発明の目的は、簡単な操作で適正な露出を決定できるようにすることにある。
【課題を解決するための手段】
【０００７】
本発明の撮像装置は、撮像手段と、前記撮像手段により同じシーンで撮像された第１の画像データの露出と第２の画像データの露出とを時間の経過に伴って変化させる露出制御手段と、前記露出制御手段による制御に応じた露出の前記第１の画像データと前記第２の画像データとに基づいて、第３の画像データを生成する第１の生成手段と、前記第１の生成手段により生成される前記第３の画像データを表示手段において表示させる表示制御手段と、前記第１の画像データの露出と前記第２の画像データの露出との指示を受け付ける第１の受付手段と、前記第１の受付手段により受け付けられた指示に応じて、前記第１の画像データの露出と前記第２の画像データの露出とを決定する決定手段とを有することを特徴とする。
【発明の効果】
【０００８】
本発明によれば、簡単な操作で適正な露出を決定することができる。
【図面の簡単な説明】
【０００９】
【図１】本発明の実施形態に係る撮像装置の構成を示す図である。
【図２】本発明の実施形態に係る撮像装置の処理を示すフローチャートである。
【図３】高露光画像データ及び低露光画像データの露出の時間的な変化を示す図である。
【図４】本発明の他の実施形態に係る撮像装置の構成を示す図である。
【発明を実施するための形態】
【００１０】
以下、本発明を適用した好適な実施形態を、添付図面を参照しながら詳細に説明する。
【００１１】
先ず、本発明の第１の実施形態について説明する。第１の実施形態に係る撮像装置は、同一シーンで撮影された高露光画像データと低露光画像データとの２枚の画像データを合成してＨＤＲ画像データを生成する。その際、本撮像装置は、高露光画像データ及び低露光画像データの夫々について適正な露出を簡単な操作で決定することができる。なお、高露光画像データ及び低露光画像データは第１の画像データ、第２の画像データの例であり、ＨＤＲ画像データは第３の画像データの例である。
【００１２】
図１は、本発明の第１の実施形態に係る撮像装置の構成を示す図である。図１において、１００はレンズである。１０１は絞りである。１０２はセンサ（撮像手段）であり、レンズ１００を介して入力される光信号をアナログの電気信号に変換する。１０３は、センサ１０２から出力されるアナログの電気信号をデジタルの電気信号に変換するＡＤ変換部である。１０４はメモリであり、ＡＤ変換部１０３から出力されるデジタルの電気信号である画像データを記憶する。１０５はカメラ信号処理部であり、メモリ１０４から画像データを読み出してリサイズや現像等の各種画像処理を行う。１０６はメモリであり、カメラ信号処理部１０５により画像処理が施された画像データを記憶する。１０７はＨＤＲ処理部であり、メモリ１０６から画像データを２枚読み出し、当該２枚の画像データを合成してＨＤＲ画像データを生成する。つまり、メモリ１０６には、高露光画像データと低露光画像データとが常に記憶されている。１０８はファインダ等の表示部であり、ＨＤＲ処理部１０７で生成されたＨＤＲ画像データを表示する。なお、図示していないが、表示部１０８の前段において、ファインダの解像度に合うように画像サイズの変換処理が実行される。１０９はスイッチであり、撮影者が操作部１１１であるシャッタを押した場合、ＨＤＲ処理部１０７の出力と記録部１１０の入力とを接続状態とし、それ以外のときは、ＨＤＲ処理部１０７の出力と記録部１１０の入力とを非接続状態とする。１１０は記録部であり、ＨＤＲ処理部１０７で生成されたＨＤＲ画像データを記録媒体１１４に記録する。１１１は操作部であり、シャッタやモード設定等のボタンである。１１２はコントローラであり、操作部１１１を用いた操作入力等に応じて撮像装置全体を制御する。１１３は露出制御部であり、絞り１０１やセンサ１０２の電荷蓄積時間を制御することにより、撮像される画像データの露出を調整することができる。なお、記録部１１０は、記録制御手段の構成例である。また、表示部１０８におけるＨＤＲ画像データの表示を制御する処理は表示制御手段の処理例である。
【００１３】
図２は、本実施形態に係る撮像装置の処理を示すフローチャートである。本処理の開始によりＨＤＲ画像撮影モードに切り替えられ、本処理の終了によりＨＤＲ画像データが撮影され、ＨＤＲ画像撮影モードが終了する。
【００１４】
図３（ａ）は、第１の実施形態における、高露光画像データ及び低露光画像データの露出の時間的な変化を示している。図３（ａ）において、３０１は露出を示しており、プラス方向は露出が高く、マイナス方向は露出が低い。３０２は時間軸を示している。３０３は高露光画像データの露出を示している。３０４は低露光画像データの露出を示している。３０５はスタンバイ期間を示しており、シャッタが押される前の期間である。３０６は記録のタイミングを示しており、撮影者がシャッタを押した時間である。３０７は高露光画像データの露出を固定し、低露光画像データの露出を変化させている期間を示している。３０８は低露光画像データの露出が決定された時間を示しており、期間３０７の間は低露光画像データの露出が周期的に変化しており、時間３０８で撮影者の指示に応じて低露光画像データの露出が決定される。３０９は低露光画像データの露出を固定し、高露光画像データの露出を変化させている期間を示している。３１０は高露光画像データの露出が決定された時間を示しており、期間３０９の間は高露光画像データの露出が周期的に変化しており、時間３１０で撮影者の指示に応じて高露光画像データの露出が決定される。３１１は、時間３０８で決定された低露光画像データの露出と時間３１０で決定された高露光画像データの露出とで固定されている期間を示している。３１２は、シャッタが押された時間を示しており、時間３０８で決定された低露光画像データの露出と時間３１０で決定された高露光画像データの露出とで生成されたＨＤＲ画像データが記録される。
【００１５】
次に、図２及び図３（ａ）を参照しながら、第１の実施形態に係る撮像装置の処理について説明する。ステップＳ２０１において、露出制御部１１３は、ＨＤＲ画像撮影モードで使用する各種パラメータを初期化する。次にステップＳ２０２に移行するが、ステップＳ２０２はスタンバイ期間３０５に該当する。即ち、スタンバイ期間３０５のうちの期間３０７に該当すれば、高露光画像データの露出が＋１に固定され、低露光画像データの露出が−１、−２、−３、−２、−１、・・・のように周期的に変化している。また、スタンバイ期間３０５のうちの期間３０９に該当すれば、低露光画像データの露出は撮影者によって決定された露出に固定され、高露光画像データの露出は＋１、＋２、＋３、＋２、＋１、・・・のように周期的に変化している。さらに、スタンバイ期間３０５のうちの期間３１１に該当すれば、低露光画像データの露出は操作者によって決定された−２に固定され、高露光画像データの露出は同じく操作者によって決定された＋３に固定されている。
【００１６】
ステップＳ２０２において、コントローラ１１２は、現在の露出で画像データを取得するよう露出制御部１１３を制御する。例えば、ＨＤＲ画像撮影モード開始から１回目のステップＳ２０２の処理では、露出制御部１１３は、絞り１０１及びセンサ１０２を制御して露出＋１で高露光画像データを取得するとともに、同じく絞り１０１及びセンサ１０２を制御して露出−１で低露光画像データを取得する。取得された高露光画像データ及び低露光画像データは、メモリ１０４及びカメラ信号処理部１０５を経由してメモリ１０６に保持される。
【００１７】
ステップＳ２０３において、ＨＤＲ処理部１０７は、メモリ１０６に記録されている高露光画像データと低露光画像データとの２枚の画像データを読み出し、これらを合成することによってＨＤＲ画像データを生成する。例えば、ＨＤＲ画像撮影モード開始から１回目のステップＳ２０３の処理では、露出＋１で取得された高露光画像データと露出−１で取得された低露光画像データとが合成されることによってＨＤＲ画像データが生成される。なお、ＨＤＲ画像データを生成するための高露光画像データと低露光画像データとの合成方法は、任意の方法を採用することができる。なお、ステップＳ２０３は、第１の生成手段の処理例である。
【００１８】
ステップＳ２０４において、表示部１０８は、ＨＤＲ処理部１０７で生成されたＨＤＲ画像データをプレビュー表示する。これにより、撮影者は、現在の露出で生成されたＨＤＲ画像データをリアルタイムで参照することができる。例えば、ＨＤＲ画像撮影モード開始から１回目のステップＳ２０４の処理では、露出＋１で取得された高露光画像データと露出−１で取得されて低露光画像データとが合成されることによって得られたＨＤＲ画像データがプレビュー表示される。
【００１９】
ステップＳ２０５において、コントローラ１１２は、低露光画像データの露出が撮影者によって決定されているか否かを判定する。低露光画像データの露出が撮影者によって決定されている場合、処理はステップＳ２０６に移行する。一方、低露光画像データの露出が撮影者によって決定されていない場合、処理はステップＳ２０７に移行する。
【００２０】
ステップＳ２０７において、露出制御部１１３は、低露光画像データの露出を変化させる。例えば、ＨＤＲ画像撮影モード開始から１回目のステップＳ２０７の処理では、露出制御部１１３は、図３（ａ）に示すように、低露光画像データの露出を−１から−２に変化させる。その後、処理はステップＳ２０２に戻る。
【００２１】
ステップＳ２０６において、コントローラ１１２は、撮影者による操作部１１１の操作に応じて、低露光画像データの露出を決定する。なお、既に低露光画像データの露出が操作者によって決定されている場合、ステップＳ２０６において低露光画像データの露出はそのまま維持される。即ち、ステップＳ２０６は、図３（ａ）において、撮影者によって低露光画像データの露出が決定された時間３０８、又は、それ以降の期間に該当する。以上により、撮影者は表示部１０８上でＨＤＲ画像データを見ながら、自身の気に入った低露光画像データの露出を決定することが可能となる。なお、図３（ａ）では、低露光画像データの露出−２が撮影者によって決定されている。ステップＳ２０６において、撮影者から低露光画像データの露出の指示を受け付ける処理は、第１の受付手段の処理例である。
【００２２】
ステップＳ２０８において、コントローラ１１２は、高露光画像データの露出が撮影者によって決定されているか否かを判定する。高露光画像データの露出が撮影者によって決定されている場合、処理はステップＳ２０９に移行する。一方、高露光画像データの露出が撮影者によって決定されていない場合、処理はステップＳ２１０に移行する。
【００２３】
ステップＳ２１０において、露出制御部１１３は、高露光画像データの露出を変化させる。例えば、ＨＤＲ画像撮影モード開始から１回目のＳ２１０の処理では、露出制御部１１３は、図３（ａ）に示すように、高露光画像データの露出を＋１から＋２に変化させる。その後、処理はステップＳ２０２に戻る。ステップＳ２０９において、コントローラ１１２は、撮影者による操作部１１１の操作に応じて、高露光画像データの露出を決定する。なお、既に高露光画像データの露出が操作者によって決定されている場合、ステップＳ２０９において高露光画像データの露出はそのまま維持される。即ち、ステップＳ２１１は、図３（ａ）において、撮影者によって高露光画像データの露出が決定された時間３１０、又は、それ以降の期間に該当する。以上により、撮影者は表示部１０８上でＨＤＲ画像データを見ながら、自身の気に入った高露光画像データの露出を決定することが可能となる。なお、図３（ａ）では、高露光画像データの露出＋３が操作者によって決定されている。ステップＳ２０９において、撮影者から高露光画像データの露出の指示を受け付ける処理は、第１の受付手段の処理例である。
【００２４】
ステップＳ２１１において、コントローラ１１２は、撮影者によってシャッタ（操作部１１１）が押されたか否かを判定する。このとき、高露光画像データの露出及び低露光画像データの露出はともに、撮影者によって決定された値に固定されている。シャッタが押された場合、処理はステップＳ２１２に移行する。一方、シャッタが押されていない場合、処理はステップＳ２０２に戻る。
【００２５】
ステップＳ２１２において、コントローラ１１２は、現在の露出(高露光画像データの露出＋３、低露光画像データの露出−２)で生成されているＨＤＲ画像データを記録媒体１１４に記録させる。このとき、コントローラ１１２は、ＨＤＲ処理部１０７の出力と記録部１１０の入力とが接続されるようにスイッチ１０９を制御する。なお、ステップＳ２１２は図３（ａ）の時間３０６に該当する。ステップＳ２１２において、撮影者からＨＤＲ画像データの記録指示を受け付ける処理は、第２の受付手段の処理例である。
【００２６】
以上のように、第１の実施形態においては、高露光画像データの露出と低露光画像データの露出とを時間の経過に伴って変化させ、それらを合成したＨＤＲ画像データを表示部１０８に表示させている。従って、第１の実施形態によれば、撮影者は表示部１０８を見ながら、自分の気に入った高露光画像データ及び低露光画像データの露出をセットすることができる。即ち、第１の実施形態では、ＨＤＲ画像データを撮影する際の高露光画像データと低露光画像データとの露出を決定するための撮影アシストを提供することが可能となる。なお、第１の実施形態では、高露光画像データの露出を固定した状態から開始したが、低露光画像データの露出を固定した状態から開始するようにしてもよい。
【００２７】
次に、本発明の第２の実施形態について説明する。第２の実施形態に係る撮像装置は、撮影者が高露光画像データの露出や低露光画像データの露出をセットせずにシャッタボタンを押した場合に対応できるものである。
【００２８】
図４は、本発明の第２の実施形態に係る撮像装置の構成を示す図である。図４に示すように、第２の実施形態に係る撮像装置は、図１に示す第１の実施形態に係る撮像装置に対して適正露出決定部４０１を追加した構成となっている。適正露出決定部４０１の入力はカメラ信号処理部１０５の出力に接続され、適正露出決定部４０１の出力はコントローラ１１２の入力に接続されている。なお、図４において、第１の実施形態に係る撮像装置と同様の構成については図１に示した符合を付してある。
【００２９】
適正露出決定部４０１は、カメラ信号処理部１０５から出力される画像データに対して輝度情報（ヒストグラム等）を生成し、輝度情報から白飛びや黒つぶれ量を判定し、高露光画像データの適正露出と低露光画像データの適正露出とを算出する。算出されたこれらの適正露出はコントローラ１１２に対して出力される。
【００３０】
第２の実施形態に係る撮像装置は、撮影者が高露光画像データの露出と低露光画像データの露出とを決定した状態でシャッタを押した場合であれば、第１の実施形態と同様の処理を実行する。但し、この機能を使わずにＨＤＲ画像データを撮影したい場合や、シャッタチャンスが急に来た場合等、第２の実施形態では、シャッタの操作に応じて、適正露出決定部４０１において決定されている適正露出の高露光画像データ及び低露光画像データの適正露出を用いて、ＨＤＲ画像データを生成する。なお、適正露出の高露光画像データ及び低露光画像データの適正露出を用いてＨＤＲ画像データを生成する処理は、第２の生成手段の処理例である。また、ここで生成されるＨＤＲ画像データは、第４の画像データの例である。
【００３１】
次に、本発明の第３の実施形態について説明する。第３の実施形態は、図３（ａ）に示した方法以外の方法で高露光画像データ及び低露光画像データの露出を変化させるものであり、その方法を図３（ｂ）に示す。なお、第３の実施形態に係る撮像装置の構成は、図１に示した構成と同様であるため、以下の説明においても、図１に示した符号を用いるものとする。
【００３２】
図３（ｂ）は、第３の実施形態における、高露光画像データ及び低露光画像データの露出の時間的な変化を示している。図３（ｂ）において、３２１は露出を示しており、プラス方向は露出が高く、マイナス方向は露出が低い。３２２は時間軸を示している。３２３は高露光画像データの露出を示している。３２４は低露光画像データの露出を示している。高露光画像データの露出は＋１に固定され、低露光画像データの露出は−１、−２、−３、−１、−２、−３、・・・のように周期的に変化している。このように低露光画像データの露出の変化に周期性を持たせることにより、低露光画像データの露出が時間３２５の−３から時間３２６の−１に大きく変化すると、生成されるＨＤＲ画像データの明るさも大きく変化することになる。これにより、撮影者は低露光画像データの露出が周期的に変化していることを認識することができ、露出を決定するタイミングがとりやすくなる。
【００３３】
また、露出の時間的な変化をさらにわかりやすくするために、表示部１０８にＨＤＲ画像データとともに図３（ｂ）に示す２次元グラフを表示してもよい。さらに、低露光画像データの露出の変化の始点となる時間（図３（ｂ）では露出−１の時間）に３２７のようなマークを表示してもよい。以降、低露光画像データの露出が決定されると、低露光画像データの露出を決定された値で固定し、高露光画像データの露出を同様の制御によって変化させる。なお、第３の実施形態では、高露光画像データの露出を固定した状態から開始したが、低露光画像データの露出を固定した状態から開始するようにしてもよい。
【００３４】
次に、本発明の第４の実施形態について説明する。第３の実施形態は、図３（ａ）及び図３（ｂ）に示した方法以外の方法で高露光画像データ及び低露光画像データの露出を変化させるものであり、その方法を図３（ｃ）に示す。なお、第４の実施形態に係る撮像装置の構成は、図１に示した構成と同様であるため、以下の説明においても、図１に示した符号を用いるものとする。
【００３５】
図３（ｃ）は、第４の実施形態における、高露光画像データ及び低露光画像データの露出の時間的な変化を示している。図３（ｃ）において、３３１は露出を示しており、プラス方向は露出が高く、マイナス方向は露出が低い。３３２は時間軸を示している。３３３は高露光画像データの露出を示している。３３４は低露光画像データの露出を示している。第１及び第３の実施形態においては、高露光画像データ及び低露光画像データの何れかの露出を固定した状態としていたが、第４の実施形態では両方の露出を変化させている。また第４の実施形態では、図３（ｃ）に示すように、高露光画像データの露出の変化の周期（第１の周期）と低露光画像データの露出の変化の周期（第２の周期）とを各々異なる周期としている。このような周期性を持たせることにより、高露光画像データの露出が時間３３５の値から時間３３６の値に大きく変化するタイミングで、低露光画像データの露出も時間３３７の値から時間３３８の値へ大きく変化することが生じる。このような現象が生じる際に、撮影者は露出を決定しやすくなる。即ち、本実施形態によれば、撮影者にとって高露光画像データの露出と低露光画像データの露光とを決定するタイミングがとりやすい撮影アシストを提供することができる。
【００３６】
また、第３の実施形態と同様に、露出の時間的な変化をさらにわかりやすくするために、表示部１０８にＨＤＲ画像データとともに、図３（ｃ）に示す２次元グラフを表示してもよい。さらに、高露光画像データの露出が時間３３５の値から時間３３６の値に変化し、低露光画像データの露出が時間３３７の値から時間３３８の値に変化する時間に３３９のようなマークを表示してもよい。なお、高露光画像データの露出の変化のさせ方と、低露光画像データの露出の変化のさせ方とを逆にしてもよい。
【００３７】
なお、上述した実施形態では、高露光画像データと低露光画像データとの２枚を合成することによりＨＤＲ画像データを生成しているが、同一シーンで撮影された露出が異なる３枚以上の画像データを合成してＨＤＲ画像データを生成してもよい。この場合、上述した実施形態と同様に、当該３枚以上の画像データのうちの任意の２枚の画像データの露出を時間的に変化させ、各画像データの露出を撮影者に決定させればよい。
【００３８】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００３９】
１００：レンズ、１０１：絞り、１０２：センサ、１０３：ＡＤ変換部、１０４：メモリ、１０５：カメラ信号処理部、１０６：メモリ、１０７：ＨＤＲ処理部、１０８：表示部、１０９：スイッチ、１１０：記録部、１１１：操作部、１１２：コントローラ、１１３：露出制御部、１１４：記録媒体、４０１：適正露出決定部
【図１】
2013141062.tif 000003
【図２】
2013141062.tif 000004
【図３】
2013141062.tif 000005
【図４】
2013141062.tif 000006